(57)【要約】  【課題】フラットパネル型の放射線検出器（ＦＰＤ）の側周面から放射線が漏洩するのを防止する。  【解決手段】この発明のＦＰＤは、放射線の検出動作中、２次元放射線情報を２次元電荷情報に変換する有感半導体膜２から２次元電荷情報として電荷読み出し用基板３によって読み出された電荷をディジタル電気信号に変換してから２次元放射線情報に対応する放射線検出信号として出力する電気回路部４に放射線が入射するのを回路保護用放射線遮蔽材５が防止する。その結果、電気回路部４は入射放射線から保護され、劣化・誤動作せずに作動し続けられる。同時に、放射線の検出動作中、回路保護用放射線遮蔽材５による散乱・反射に起因して２次的に発生する放射線が、ＦＰＤの側周面から漏洩するのを漏洩防止用放射線遮蔽材８が防止する結果、漏洩放射線から技師や医師などが保護される。【選択図】    図１
2006322745.tif 000002
【特許請求の範囲】
【請求項１】
検出対象の２次元放射線情報を２次元電荷情報に変換する放射線有感薄層体が、放射線有感薄層体に生じる２次元電荷情報としての電荷を読み出す電荷読み出し用基板の放射線入射側に配設されている検出器本体と、電荷読み出し用基板から読み出された電荷を放射線の検出強度に応じた信号強度を有するディジタル電気信号に変換してから２次元放射線情報に対応する放射線検出信号として出力する電気回路部と、放射線が電気回路部に入射するのを防止する回路保護用放射線遮蔽材とを備えているフラットパネル型の放射線検出器において、放射線検出器の側周面から放射線が漏洩するのを防止する漏洩防止用放射線遮蔽材を備えていることを特徴とするフラットパネル型の放射線検出器。
【請求項２】
請求項１に記載のフラットパネル型の放射線検出器において、検出器本体および電気回路部と回路保護用放射線遮蔽材が内側に納められている筐体を備えていて、筐体の側周面に筐体とは別体の部材として漏洩防止用放射線遮蔽材が取り付けられているフラットパネル型の放射線検出器。
【請求項３】
請求項１または２に記載のフラットパネル型の放射線検出器において、漏洩防止用放射線遮蔽材は、０．５ｍｍ以上〜２．０ｍｍ以下の範囲の厚みの鉛と等価な放射線遮蔽機能を発揮するフラットパネル型の放射線検出器。
【請求項４】
請求項１から３のいずれかに記載のフラットパネル型の放射線検出器において、漏洩防止用放射線遮蔽材は、鉛やタングステン等の高比重金属、または高比重金属の合金からなるフラットパネル型の放射線検出器。
【請求項５】
請求項１から３のいずれかに記載のフラットパネル型の放射線検出器において、漏洩防止用放射線遮蔽材は、タングステン等の放射線遮蔽を発揮する高比重金属粒子が分散混合されている樹脂シートであるフラットパネル型の放射線検出器。
【請求項６】
請求項１から５のいずれかに記載のフラットパネル型の放射線検出器において、電気回路部と回路保護用放射線遮蔽材が、検出器本体の側方と裏側とに別れて配備されていて、検出器本体の側方の回路部分に入射する放射線は検出器本体の側方の遮蔽材部分によりカットされ、検出器本体の裏側の回路部分に入射する放射線は検出器本体の裏側の遮蔽材部分によりカットされるフラットパネル型の放射線検出器。
【請求項７】
請求項１から６のいずれかに記載のフラットパネル型の放射線検出器において、放射線有感膜が２次元放射線情報を直接に２次元電荷情報へ変換するフラットパネル型の放射線検出器。
【発明の詳細な説明】
【技術分野】
【０００１】
この発明は、検出対象の２次元放射線情報を２次元電荷情報に変換する放射線有感薄層体が、放射線有感薄層体に生じる２次元電荷情報としての電荷を読み出す電荷読み出し用基板の放射線入射側に配設されている検出器本体と、電荷読み出し用基板から読み出された電荷を放射線の検出強度に応じた信号強度を有するディジタル電気信号に変換してから２次元放射線情報に対応する放射線検出信号として出力する電気回路部と、放射線が電気回路部に入射するのを防止する回路保護用放射線遮蔽材とを備えているフラットパネル型の放射線検出器に係り、特に放射線検出器から放射線が漏洩するのを防止するための技術に関する。
【背景技術】
【０００２】
この種のフラットパネル型の放射線検出器が、最近、医用のＸ線透視装置などで被検体の透過放射線像（透過Ｘ線像）を検出する２次元放射線検出器として使用されている。フラットパネル型の放射線検出器（以下、適宜「ＦＰＤ」と略記）には、直接変換タイプと間接変換タイプとがある。前者の直接変換タイプのＦＰＤの場合、検出対象の入射放射線が直接電荷に変換される。前者の間接変換タイプのＦＰＤの場合、放射線有感薄層体では検出対象の入射放射が光シンチレータで先ずいったん可視光に変換されてから光電変換膜で電荷へ変換される。
【０００３】
従来のＦＰＤは、直接変換タイプと間接変換タイプのいずれであっても、図６に示すように、検出対象の透過放射線像（２次元放射線情報）を、いわば電荷イメージ（２次元電荷情報）に変換する放射線有感薄層体７２が、放射線有感薄層体７２に生じる電荷イメージとしての電荷を読み出す電荷読み出し用基板（アクティブマトリックス基板）７３の放射線入射側に配設されている検出器本体７１を備えている。
そして、検出器本体７１では、放射線有感薄層体７２の裏側となる電荷読み出し用基板７３の（放射線入射側）表面に個別電極（図示省略）や電荷蓄積用コンデンサと電荷取り出し用のスイッチング素子などが二次元状のマトリックス配列で設けられていて、放射線有感薄層体７２に生じた電荷が電荷読み出し用基板７３によって個別電極ごとに読み出される構成とされている。
【０００４】
一方、電荷読み出し用基板７３によって読み出された電荷は、信号増幅回路７４Ａや、ＡＤ変換および読み出し制御機能を有する信号制御回路７４Ｂを含む電気回路部７４によって、放射線の検出強度に応じた信号強度を有するディジタル電気信号に変換されてから検出対象の透過放射線像に対応する放射線検出信号として出力される。
他方、電気回路部７４に入射する放射線は、放射線源（例えばＸ線透視装置の場合はＸ線管）と電気回路部７４の間に介在する回路保護用放射線遮蔽材７５により防止される（カットされる）。
【０００５】
すなわち、回路保護用放射線遮蔽材７５は、放射線源と信号増幅回路７４Ａの間に配備されている第１回路保護用放射線遮蔽材７５Ａと、放射線源と信号制御回路７４Ｂとの間に配備されている第２回路保護用放射線遮蔽材７５Ｂとからなり、回路保護用放射線遮蔽材７５によって電気回路部７４に照射される入射放射線が吸収されるので、電気回路部７４は入射放射線から保護される（例えば特許文献１参照。）。
【０００６】
ＦＰＤがＸ線透視装置に装備されている場合であれば、ＦＰＤから出力される放射線検出信号に基づいてＸ線透視用Ｘ線画像が取得されて表示モニタの画面に映し出され、医師の診断・治療などに供される。したがって、放射線有感薄層体７２の裏側となる電荷読み出し用基板７３の表面に二次元状のマトリックス配列で設けられている個別電極は、Ｘ線画像用の画素電極ということになる。
【０００７】
【特許文献１】特開２００３−７５５４５号公報（第２頁〜第３頁，図１〜図５）
【発明の開示】
【発明が解決しようとする課題】
【０００８】
しかしながら、本願出願人は、上記従来のＦＰＤにおいて、放射線検出面の更なる大面積化を進める過程で、放射線の漏洩が起こる事実を見出すに至った。発明者らは、放射線検出面の大面積化によるＦＰＤへの入射放射線の増加に伴って，回路保護用放射線遮蔽材７５による散乱・反射に起因して発生する放射線は、かなりの線量となってＦＰＤの側周面から漏れ出すという知見を得たのである。
特に、ＦＰＤがＸ線透視装置に装備されている場合だと、被検体の透過放射線像の検出が一定期間にわたって連続して行なわれるので、医師や技師が浴びる放射線の線量は決して無視できないことが、発明者らにより解明されたのである。
【０００９】
この発明は、このような事情に鑑みてなされたものであって、放射線検出器の側周面から放射線が漏洩するのを防止することができるフラットパネル型の放射線検出器を提供することを目的とする。
【課題を解決するための手段】
【００１０】
この発明は、上記の目的を達成するために、次のような構成をとる。
即ち、請求項１に記載の発明に係るフラットパネル型の放射線検出器は、検出対象の２次元放射線情報を２次元電荷情報に変換する放射線有感薄層体が、放射線有感薄層体に生じる２次元電荷情報としての電荷を読み出す電荷読み出し用基板の放射線入射側に配設されている検出器本体と、電荷読み出し用基板から読み出された電荷を放射線の検出強度に応じた信号強度を有するディジタル電気信号に変換してから２次元放射線情報に対応する放射線検出信号として出力する電気回路部と、放射線が電気回路部に入射するのを防止する回路保護用放射線遮蔽材とを備えているフラットパネル型の放射線検出器において、放射線検出器の側周面から放射線が漏洩するのを防止する漏洩防止用放射線遮蔽材を備えていることを特徴とするものである。
【００１１】
［作用・効果］請求項１の発明のフラットパネル型の放射線検出器（以下、適宜「放射線検出器」と略記）の場合、放射線の検出動作中、検出器本体の放射線有感薄層体により検出対象の２次元放射線情報が２次元電荷情報に変換される。放射線有感薄層体に生じる２次元電荷情報としての電荷は、電荷読み出し用基板によって読み出された後、電気回路部により、放射線の検出強度に応じた信号強度を有するディジタル電気信号に変換されてから２次元放射線情報に対応する放射線検出信号として出力される。
【００１２】
一方、請求項１の発明の放射線検出器による放射線の検出動作中、電気回路部に入射放射線が照射されるのを回路保護用放射線遮蔽材が防止するので、入射放射線から電気回路部が保護される。
他方、請求項１の発明の放射線検出器による放射線の検出動作中、回路保護用放射線遮蔽材による散乱・反射に起因して２次的に発生する放射線が放射線検出器の側周面から漏洩するのを漏洩防止用放射線遮蔽材が防止するので、漏洩放射線から技師や医師などが保護される。
【００１３】
即ち、請求項１の発明の放射線検出器の場合、放射線の検出動作中、検出対象の２次元放射線情報を２次元電荷情報に変換する放射線有感薄層体から電荷読み出し用基板により２次元電荷情報として読み出された電荷を、放射線の検出強度に応じた信号強度を有するディジタル電気信号に変換してから２次元放射線情報に対応する放射線検出信号として出力する電気回路部に入射放射線が照射されるのを回路保護用放射線遮蔽材が防止するので、入射放射線から電気回路部が保護されるのと同時に、回路保護用放射線遮蔽材による散乱・反射に起因して２次的に発生する放射線が放射線検出器の側周面から漏洩するのを漏洩防止用放射線遮蔽材が防止するので、漏洩放射線から技師や医師などが保護される。
【００１４】
また、請求項２の発明は、請求項１に記載のフラットパネル型の放射線検出器において、検出器本体および電気回路部と回路保護用放射線遮蔽材が内側に納められている筐体を備えていて、筐体の側周面に筐体とは別体の部材として漏洩防止用放射線遮蔽材が取り付けられているものである。
【００１５】
［作用・効果］請求項２の発明の放射線検出器の場合、漏洩防止用放射線遮蔽材は放射線検出器の筐体の側周面だけに筐体とは別体の部材として取り付けられていて、漏洩防止用放射線遮蔽材は漏洩放射線の防止の上で必要な筐体の側周面だけに取り付けられているので、漏洩防止用放射線遮蔽材の配備に伴う重量増を抑制できるうえ、別体の部材である漏洩防止用放射線遮蔽材を筐体の側周面に取り付けるだけで済むので、漏洩防止用放射線遮蔽材を筐体に取り付けるのに特に困難はない。
【００１６】
また、請求項３の発明は、請求項１または２に記載のフラットパネル型の放射線検出器において、漏洩防止用放射線遮蔽材は、０．５ｍｍ以上〜２．０ｍｍ以下の範囲の厚みの鉛と等価な放射線遮蔽機能を発揮するものである。
【００１７】
［作用・効果］請求項３の発明の放射線検出器の場合、漏洩防止用放射線遮蔽材が十分な放射線遮蔽機能を発揮すると同時に、漏洩防止用放射線遮蔽材の配備に伴う重量増が過大になることを抑えられる。漏洩防止用放射線遮蔽材が０．５ｍｍ未満の鉛と等価な放射線遮蔽機能しか発揮できない場合、漏洩防止用放射線遮蔽材の放射線遮蔽機能が不足する傾向がみられる。漏洩防止用放射線遮蔽材が２．０ｍｍ以上の鉛と等価な放射線遮蔽機能を発揮する場合、漏洩防止用放射線遮蔽材の重量が過大となる傾向がみられる。
【００１８】
また、請求項４の発明は、請求項１から３のいずれかに記載のフラットパネル型の放射線検出器において、漏洩防止用放射線遮蔽材は、鉛やタングステン等の高比重金属、または高比重金属の合金からなるあるものである。
【００１９】
［作用・効果］請求項４の発明の放射線検出器の場合、漏洩防止用放射線遮蔽材が放射線遮蔽機能に優れた鉛あるいはタングステン等の高比重金属、または高比重金属の合金であるので、漏洩防止用放射線遮蔽材を厚みの薄いもので済ませることができる。
【００２０】
また、請求項５の発明は、請求項１から３のいずれかに記載のフラットパネル型の放射線検出器において、漏洩防止用放射線遮蔽材は、タングステン等の放射線遮蔽を発揮する高比重金属粒子が分散混合されている樹脂シートであるものである。
【００２１】
［作用・効果］請求項５の発明の放射線検出器の場合、漏洩防止用放射線遮蔽材である樹脂シートに分散混合されている高比重金属粒子が十分な放射線遮蔽を発揮するのに加え、漏洩防止用放射線遮蔽材に屈曲性が付与されるので、漏洩防止用放射線遮蔽材の取り付けが容易となる。
【００２２】
また、請求項６の発明は、請求項１から５のいずれかに記載のフラットパネル型の放射線検出器において、電気回路部と回路保護用放射線遮蔽材が、検出器本体の側方と裏側とに別れて配備されていて、検出器本体の側方の回路部分に入射する放射線は検出器本体の側方の遮蔽材部分によりカットされ、検出器本体の裏側の回路部分に入射する放射線は検出器本体の裏側の遮蔽材部分によりカットされるものである。
【００２３】
［作用・効果］請求項６の発明の放射線検出器の場合、検出器本体の側方の回路部分に入射する放射線は検出器本体の側方でカットされ、検出器本体の裏側の回路部分に入射する放射線は検出器本体の裏側でカットされるので、放射線有感薄層体に入射する入射放射線をカットすることなく、入射放射線から電気回路部を保護することができる。
【００２４】
また、請求項７の発明は、請求項１から６のいずれかに記載のフラットパネル型の放射線検出器において、放射線有感膜が２次元放射線情報を直接に２次元電荷情報へ変換するものである。
【００２５】
［作用・効果］請求項７の発明の放射線検出器の場合、２次元放射線情報が放射線有感膜により直接に２次元電荷情報へ変換されるので、２次元放射線情報をいったん光に変換する必要がない。
【発明の効果】
【００２６】
請求項１の発明の放射線検出器の場合、放射線の検出動作中、検出対象の２次元放射線情報を２次元電荷情報に変換する放射線有感薄層体から電荷読み出し用基板により２次元電荷情報として読み出された電荷を、放射線の検出強度に応じた信号強度を有するディジタル電気信号に変換してから２次元放射線情報に対応する放射線検出信号として出力する電気回路部に入射放射線が照射されるのを、回路保護用放射線遮蔽材が防止するので、入射放射線から電気回路部が保護される。
加えて、請求項１の発明の放射線検出器によれば、放射線の検出動作中、回路保護用放射線遮蔽材による散乱・反射に起因して２次的に発生する放射線が放射線検出器の側周面から漏洩するのを、漏洩防止用放射線遮蔽材が防止するので、漏洩放射線から技師や医師などが保護される。
【実施例１】
【００２７】
この発明のフラットパネル型の放射線検出器（以下、適宜「ＦＰＤ」と略記）の実施例を図面を参照しながら説明する。図１は実施例１に係る直接変換タイプのＦＰＤの要部構成を示す断面図、図２は実施例１のＦＰＤにおける放射線有感薄層体としての有感半導体膜と電荷読み出し用基板を示す平面図、図３は実施例１のＦＰＤにおける有感半導体膜と電荷読み出し用基板まわりの詳細構成を示す模式的断面図、図４は実施例１のＦＰＤの外観を示す斜視図である。
実施例１のＦＰＤは、医用のＸ線透視装置において被検体の透過放射線像（透過Ｘ線像）を検出する２次元Ｘ線検出器として使用できるものであり、以下、適宜、Ｘ線透視装置に装備されている場合に即して説明する。
【００２８】
実施例１のＦＰＤは、図１および図２に示すように、検出対象の透過放射線像（２次元放射線情報）を、いわば電荷イメージ（２次元電荷情報）に直接変換する直接変換タイプの有感半導体膜（放射線有感薄層体）２が、有感半導体膜２に生じる電荷イメージとしての電荷を読み出す電荷読み出し用基板（アクティブマトリックス基板）３の放射線入射側に配設されている検出器本体１を備えていて、入射放射線により有感半導体膜２に生じた電荷が電荷読み出し用基板３により読み出される。
【００２９】
有感半導体膜２の具体的なものとしては、例えばＳｅまたはＳｅ化合物等のアモルファスＳｅ系半導体膜やＣｄＴｅ等の化合物半導体膜などが挙げられる。直接変換タイプの有感半導体膜２の場合、図３に示すように、放射線入射側の表面に金属薄膜等のバイアス電圧印加用の共通電極２ａが積層形成されている。また直接変換タイプの有感半導体膜２の場合、間接変換タイプのように入射放射線をいったん光に変換しなくてすむ。
【００３０】
有感半導体膜２の裏側の電荷読み出し用基板３では、図３に示すように、個別電極３ａおよび電荷蓄積用のコンデンサ３ｂと電荷取り出し用のスイッチング素子３ｃが二次元状のマトリックス配列で透明ガラス等の絶縁基板３ｄの表面に設けられている。電荷読み出し用基板３においては、入射放射線により有感半導体膜２に生じた電荷が個別電極３ａを介して各コンデンサ３ｂに蓄積されると共に、スイッチング素子３ｃが順番に短時間だけ導通する（閉じる）ことにより、各コンデンサ３ｂに蓄積された電荷が取り出される。つまり、電荷読み出し用基板３の場合、入射放射線により有感半導体膜２に生じた電荷は個別電極３ａごとに取り出される。
【００３１】
一方、実施例１のＦＰＤの場合、電荷読み出し用基板３により読み出される２次元電荷情報としての電荷は、図１に示すように、増幅機能を有する信号増幅回路４ＡおよびＡＤ変換機能や読み出し制御機能を有する信号制御回路４Ｂを含む電気回路部４によって、放射線の検出強度に応じた信号強度を有するディジタル電気信号に変換されてから検出対象の透過放射線像に対応する放射線検出信号として出力される。電気回路部４の場合、信号増幅回路４Ａはフレキシブル配線材４ａに配設されており、信号制御回路４Ｂは非フレキシブル配線材４ｂに配設されている。
【００３２】
実施例１のＦＰＤがＸ線透視装置に装備されている場合であれば、実施例１のＦＰＤから出力される放射線検出信号（Ｘ線検出信号）に基づいてＸ線透視用Ｘ線画像が取得されて表示モニタ（図示省略）の画面に映し出され、医師の診断・治療などに供される。したがって、電荷読み出し用基板３に二次元状のマトリックス配列で設けられている個別電極３ａは、Ｘ線画像用の画素電極ということになる。
【００３３】
また、実施例１のＦＰＤは、放射線源（例えばＸ線透視装置の場合はＸ線管）と電気回路部４の間に介在して放射線が電気回路部４に入射するのを防止する回路保護用放射線遮蔽材５を備えている。回路保護用放射線遮蔽材５は、放射線源と信号増幅回路４Ａの間に配備されている第１回路保護用放射線遮蔽材５Ａと、放射線源と信号制御回路４Ｂとの間に配備されている第２回路保護用放射線遮蔽材５Ｂとに別れて配備されている。
【００３４】
他方、実施例１のＦＰＤは、図４に示すように、筐体６を外ケースとして備えていて、検出器本体１および電気回路部４や回路保護用放射線遮蔽材５などが筐体６に納められている。
【００３５】
電気回路部４の場合、信号増幅回路４Ａのあるフレキシブル配線材４ａは検出器本体１の側方を裏側へ延びてゆく配置で筐体６に収納されていると共に、信号制御回路４Ｂのある非フレキシブル配線材４ｂが検出器本体１の裏側でフレキシブル配線材４ａの端により吊り持たれる配置で筐体６に収納されている。
回路保護用放射線遮蔽材５の場合、第１回路保護用放射線遮蔽材５Ａは筐体６の放射線入射側である天面の内側外寄りに取り付けられ、第２回路保護用放射線遮蔽材５Ｂは支持プレート７の裏面側に取り付けられた状態で筐体６に収納されている。さらに第２回路保護用放射線遮蔽材５Ｂは支持プレート７の裏面側に埋め込まれたかたちで取り付けられているが、第２回路保護用放射線遮蔽材５Ｂは支持プレート７に必ずしも埋め込まれている必要はなく、支持プレート７の裏面に重ねられているだけでもよい。
【００３６】
放射線の検出動作中、第１回路保護用放射線遮蔽材５Ａが検出器本体１の側方の信号増幅回路４Ａに入射する放射線をカットすると同時に、第２回路保護用放射線遮蔽材５Ｂが検出器本体１の裏側の信号制御回路４Ｂに入射する放射線をカットする。したがって、回路保護用放射線遮蔽材５は、有感半導体膜２に入射する入射放射線はカットすることなく、電気回路部４を入射放射線から保護することができる。したがって、電気回路部４は入射放射線により誤動作・劣化することなく正常に作動し続けられる。
【００３７】
また、実施例１のＦＰＤの場合、検出器本体１の広さ（縦・横の寸法）は特定の値に限定されるものではないが、通常、数cm〜５０cm程度の範囲である。筐体６は、検出器本体１よりやや大きいものとなり、通常、縦・横の寸法が数cm〜５０cm程度の範囲であり、厚みが数cmから十数cm程度である。また筐体６の材料としては、通常、アルミニウムや樹脂等の軽くて丈夫な材料が用いられる。
【００３８】
さらに、実施例１のＦＰＤは、図１および図４に示すように、ＦＰＤの側周面から放射線が漏洩するのを防止するベルト状の漏洩防止用放射線遮蔽材８を備えている点を、構成上の特徴としているので、以下、具体的に詳述する。
実施例１のＦＰＤの場合、ベルト状の漏洩防止用放射線遮蔽材８は、図４に示すように、筐体６の側周面の全周にわたって全幅を覆う完全被覆状態で筐体６とは別体の部材として取り付けられている。
そして、実施例１のＦＰＤによる放射線の検出動作中、図１の中に矢印で示すように、回路保護用放射線遮蔽材５による散乱・反射に起因して２次的に発生する放射線がＦＰＤの側周面から漏洩するのを漏洩防止用放射線遮蔽材８が防止する。漏洩防止用放射線遮蔽材８が漏洩放射線を吸収することによりカットするのである。
【００３９】
実施例１のＦＰＤの場合、漏洩防止用放射線遮蔽材８は、漏洩放射線の防止の上で必要な筐体の側周面だけに設けられているので、漏洩防止用放射線遮蔽材８の配備に伴う重量増を抑えられるうえ、漏洩防止用放射線遮蔽材８を筐体６の側周面に取り付けるだけで済むので、漏洩防止用放射線遮蔽材８を筐体６に取り付けるのに何ら困難はない。
例えば、筐体の側周面だけを選択的に漏洩防止用放射線遮蔽材で形成する場合には、筐体の製作や筐体の側周面の機械的強度の確保が困難となる等の不利益を伴う。また、筐体全体を漏洩防止用放射線遮蔽材で形成した場合、筐体の重量が過多となる等の不利益を伴う。
【００４０】
漏洩防止用放射線遮蔽材８は、０．５ｍｍ以上〜２．０ｍｍ以下の範囲の厚みの鉛と等価な放射線遮蔽機能を発揮するものであることが好ましい。漏洩防止用放射線遮蔽材８が０．５ｍｍ未満の鉛と等価な放射線遮蔽機能しか発揮できない場合、漏洩防止用放射線遮蔽材の放射線遮蔽機能が不足する傾向がみられ、逆に、漏洩防止用放射線遮蔽材８が２．０ｍｍ以上の鉛と等価な放射線遮蔽機能を発揮する場合、漏洩防止用放射線遮蔽材の重量が過大となる傾向がみられるからである。
【００４１】
また、漏洩防止用放射線遮蔽材８は、鉛やタングステン等の高比重金属、または高比重金属の合金であることが好ましい。漏洩防止用放射線遮蔽材８が放射線遮蔽機能に優れた鉛やタングステン等の高比重金属、または高比重金属の合金であると、漏洩防止用放射線遮蔽材８を厚みの薄いもので済ませられる。
一方、漏洩防止用放射線遮蔽材８は、タングステン等の放射線遮蔽を発揮する高比重金属粒子が分散混合されている樹脂シートであることも好ましい。漏洩防止用放射線遮蔽材８である樹脂シートに分散混合されている高比重金属粒子が十分な放射線遮蔽を発揮する。また、樹脂シートである漏洩防止用放射線遮蔽材８には屈曲性が付与されるので、１枚物の樹脂シートを筐体６の側周面に沿って角で折り曲げながら巻き付けることが可能となり、漏洩防止用放射線遮蔽材８を取り付ける際の作業性を向上させられる。
【００４２】
以上に述べたように、実施例１のＦＰＤによれば、放射線の検出動作中、２次元放射線情報を２次元電荷情報に変換する有感半導体膜２から２次元電荷情報として電荷読み出し用基板３で読み出された電荷を、放射線の検出強度に応じた信号強度を有するディジタル電気信号に変換してから２次元放射線情報に対応する放射線検出信号として出力する電気回路部４に入射放射線が照射されるのを回路保護用放射線遮蔽材５が防止する。その結果、電気回路部４は入射放射線から保護され、劣化・誤動作せずに作動し続けられる。
加えて、実施例１のＦＰＤによれば、放射線の検出動作中、回路保護用放射線遮蔽材５による散乱・反射に起因して２次的に発生する放射線がＦＰＤの側周面から漏洩するのを漏洩防止用放射線遮蔽材８が防止する。その結果、漏洩放射線から技師や医師などが保護される。
【実施例２】
【００４３】
続いて、この発明の実施例２に係るＦＰＤを図面を参照しながら説明する。図５は実施例２のＦＰＤの要部構成を示す断面図である。
実施例２のＦＰＤは、実施例１のＦＰＤでは、漏洩防止用放射線遮蔽材８が筐体６の側周面全体を覆っている構成であるのに対し、ベルト状の漏洩防止用放射線遮蔽材９が筐体６の側周面の放射線入射側とは反対側の周縁領域は覆っていない以外は、実施例１と同様であるので、共通点の説明は省略し、相違点のみを説明する。
【００４４】
ベルト状の漏洩防止用放射線遮蔽材９は、必ずしも筐体６の側周面全体を覆っている必要はなく、回路保護用放射線遮蔽材５による散乱・反射に起因して２次的に発生する放射線の漏洩状況によっては、筐体６の側周面の放射線入射側とは反対側の周縁領域は覆っていなくてもよいのである。
実施例２のＦＰＤの場合、漏洩防止用放射線遮蔽材９が実施例１のＦＰＤの漏洩防止用放射線遮蔽材８より狭くなっている分、漏洩防止用放射線遮蔽材９による重量増加を抑えられるし、遮蔽材の節約も図れる。
【００４５】
この発明は、上記実施の形態に限られることはなく、下記のように変形実施することができる。
（１）実施例１，２のＦＰＤでは、漏洩防止用放射線遮蔽材８，９が筐体６の外側周面に取り付けられていたが、漏洩防止用放射線遮蔽材８，９は筐体６の内側周面に取り付けられていてもよいし、漏洩防止用放射線遮蔽材８，９は筐体６の外側周面と内側周面の両方に取り付けられていてもよい。
【００４６】
（２）実施例１，２では、漏洩防止用放射線遮蔽材８，９の素材として、鉛やタングステンが挙げられていたが、この発明のＦＰＤの漏洩防止用放射線遮蔽材の素材は、鉛やタングステンに限られるものではない。
【００４７】
（３）実施例１，２のＦＰＤは、直接変換タイプのＦＰＤであったが、この発明のＦＰＤは、間接変換タイプのＦＰＤにも適用することができる。
【００４８】
（４）実施例１，２のＦＰＤは、医用分野に用いられるものであったが、この発明のＦＰＤは、医用分野だけでなく非破壊検査などの工業分野ないし原子力分野に適用することもできる。
【図面の簡単な説明】
【００４９】
【図１】実施例１のＦＰＤの要部構成を示す断面図である。
【図２】実施例１のＦＰＤの有感半導体膜と電荷読み出し用基板を示す平面図である。
【図３】実施例１のＦＰＤにおける有感半導体膜と電荷読み出し用基板まわりの詳細構成を示す模式的断面図である。
【図４】実施例１のＦＰＤの外観を示す斜視図である。
【図５】実施例２のＦＰＤの要部構成を示す断面図である。
【図６】従来のＦＰＤの概略構成を示す模式的断面図である。
【符号の説明】
【００５０】
１        …検出器本体
２        …有感半導体膜（放射線有感薄層体）
３        …電荷読み出し用基板
４        …電気回路部
４Ａ      …信号増幅回路（検出器本体の側方の回路部分）
４Ｂ      …信号制御回路（検出器本体の裏側の回路部分）
５        …回路保護用放射線遮蔽材
５Ａ      …第１回路保護用放射線遮蔽材（検出器本体の側方の遮蔽材部分）
５Ｂ      …第２回路保護用放射線遮蔽材（検出器本体の裏側の遮蔽材部分）
６        …筐体
８，９    …漏洩防止用放射線遮蔽材
【図１】
2006322745.tif 000003
【図２】
2006322745.tif 000004
【図３】
2006322745.tif 000005
【図４】
2006322745.tif 000006
【図５】
2006322745.tif 000007
【図６】
2006322745.tif 000008